(57)【要約】【課題】駆動モータ６によってスライダ４およびピストン３を往復移動させ、洗浄液を噴射するようにした洗浄液スプレーガンにおいて、洩れ液を効果的に排出する。【解決手段】ドレン口１３がケーシング１に形成され、シリンダ２とスライダ間に連通し、逆止め弁１４，１５がドレン口に設けられる。さらに、空気口１８がケーシングに形成され、シリンダとスライダ間に連通し、逆止め弁１９，２０が空気口に設けられ、スライダによってポンプ作用が生じ、まず、空気口を通り、シリンダとスライダ間に吸入される。その後、洩れ液がドレン口を通り、押し出される。【選択図】図１
2004243163.tif 000002
【特許請求の範囲】
【請求項１】
ケーシングにシリンダを設け、前記シリンダにピストンを挿入し、前記シリンダおよびピストンによってピストンポンプを構成するとともに、前記ケーシングにスライダを収容し、前記スライダに前記ピストンを連結し、駆動モータによって前記スライダおよびピストンを往復移動させ、洗浄液を噴射するようにした洗浄液スプレーガンにおいて、ドレン口を前記ケーシングに形成し、前記シリンダとスライダ間に連通させ、逆止め弁を前記ドレン口に設け、さらに、空気口を前記ケーシングに形成し、前記シリンダとスライダ間に連通させ、逆止め弁を前記空気口に設け、前記スライダによってポンプ作用が生じ、まず、空気が前記空気口を通り、前記シリンダとスライダ間に吸入され、その後、洩れ液が前記ドレン口を通り、押し出されるようにしたことを特徴とする洗浄液スプレーガン。
【請求項２】
前記ケーシングの上側部分において、前記ドレン口が上向きに形成され、ドレンホースが前記ドレン口に接続されていることを特徴とする請求項１に記載のスプレーガン。
【請求項３】
環状外周みぞが前記ピストンに形成され、ドレン流路が前記シリンダに形成され、前記環状外周みぞに開口し、前記シリンダの洗浄液供給位置において、前記ドレン流路が前記シリンダ内に連通しており、洩れ液が前記環状外周みぞおよびドレン流路を通り、前記シリンダ内に循環し、前記ピストンによってそれが噴射されるようにしたことを特徴とする請求項１または２に記載のスプレーガン。
【発明の詳細な説明】
【０００１】
【産業上の利用分野】
この発明は、洗浄液を噴射し、繊維製品を洗浄する洗浄液スプレーガンに関するものである。
【０００２】
【従来技術とその問題点】
繊維製品を洗浄するとき、洗浄液スプレーガンが一般に使用されている。たとえば、実用新案登録第２５８６４０６号公報（特許文献１）に記載されているスプレーガンがそれである。同公報のスプレーガンでは、ケーシングにシリンダが設けられ、シリンダにピストンが挿入され、シリンダおよびピストンによってピストンポンプが構成される。さらに、ケーシングにスライダが収容され、スライダにピストンが連結され、カム機構のカムリングによって駆動モータとスライダが連結される。スライダはカム機構のカムフォロワからなる。したがって、駆動モータによってスライダおよびピストンが往復移動し、洗浄液が噴射され、洗浄液によって繊維製品が洗浄される。
【０００３】
さらに、同公報のスプレーガンでは、ドレン口がケーシングに形成され、シリンダとスライダ間に連通し、逆止め弁がドレン口に設けられる。したがって、スライダが往復移動すると、それによってポンプ作用が生じ、洩れ液がドレン口を通り、押し出され、排出される。しかしながら、実際のところ、スライダが往復移動するだけでは、そのポンプ効率が低く、洩れ液を効果的に排出することはできない。このため、洩れ液がスライダとケーシング間を通り、駆動モータに達し、洩れ液によって駆動モータが損傷するおそれがあり、その改良が強く要望されている。
【０００４】
さらに、同公報のスプレーガンでは、ケーシングの下側部分において、ドレン口が下向きに形成され、ドレンホースがそれに接続される。そして、洩れ液がドレンホースに排出されるが、洗浄液を噴射し、繊維製品を洗浄するとき、繊維製品の上方において、スプレーガンを手で持ち、操作せねばならず、ドレンホースが繊維製品に接触するという問題もある。したがって、ケーシングの下側部分ではなく、上側部分において、ドレン口を上向きに形成し、ドレンホースをそれに接続することが好ましい。しかしながら、ドレン口を上向きに形成すると、洩れ液がますます排出されにくくなることは明らかである。
【０００５】
【特許文献１】
実用新案登録第２５８６４０６号公報
【０００６】
【発明の目的】
したがって、この発明は、ケーシングにシリンダを設け、シリンダにピストンを挿入し、シリンダおよびピストンによってピストンポンプを構成するとともに、ケーシングにスライダを収容し、スライダにピストンを連結し、駆動モータによってスライダおよびピストンを往復移動させ、洗浄液を噴射するようにした洗浄液スプレーガンにおいて、洩れ液を効果的に排出することを目的としてなされたものである。
【０００７】
【発明の構成】
この発明によれば、ドレン口がケーシングに形成され、シリンダとスライダ間に連通し、逆止め弁がドレン口に設けられる。さらに、空気口がケーシングに形成され、シリンダとスライダ間に連通し、逆止め弁が空気口に設けられ、スライダによってポンプ作用が生じ、まず、空気が空気口を通り、シリンダとスライダ間に吸入される。その後、洩れ液がドレン口を通り、押し出される。
【０００８】
好ましい実施例では、ケーシングの上側部分において、ドレン口が上向きに形成され、ドレンホースがドレン口に接続される。
【０００９】
さらに、好ましい実施例では、環状外周みぞがピストンに形成され、ドレン流路がシリンダに形成され、環状外周みぞに開口し、シリンダの洗浄液供給位置において、ドレン流路がシリンダ内に連通する。したがって、洩れ液が環状外周みぞおよびドレン流路を通り、シリンダ内に循環し、ピストンによってそれが噴射される。
【００１０】
【実施例の説明】
以下、この発明の実施例を説明する。
【００１１】
図１はこの発明にかかるスプレーガンを示す。このスプレーガンは洗浄液を噴射し、繊維製品を洗浄するためのもので、ケーシング１にシリンダ２が設けられ、シリンダ２にピストン３が挿入され、シリンダ２およびピストン３によってピストンポンプが構成されていることは実用新案登録第２５８６４０６号公報のものと同様である。ケーシング１にスライダ４が収容され、スライダ４にピストン３が連結され、カム機構のカムリング５によって駆動モータ６とスライダ４が連結されており、スライダ４はカム機構のカムフォロワからなることも同公報のものと同様である。したがって、駆動モータ６によってスライダ４およびピストン３が往復移動する。さらに、洗浄液供給口７がケーシング１に形成され、シリンダ２内に連通し、供給ホース８が供給口７に接続されており、噴射ノズル９が逆止め弁およびシリンダ２に接続されている。逆止め弁はボール１０、Ｏリング１１およびスプリング１２からなる。
【００１２】
したがって、ピストン３の往復移動にともない、洗浄液が供給ホース８および供給口７を通り、シリンダ３内に供給され、吸入される。その後、洗浄液がボール１０およびＯリング１１を通り、噴射ノズル９から吐出され、噴射され、洗浄液によって繊維製品が洗浄される。
【００１３】
さらに、同公報のものと同様、洗浄液がシリンダ２とスライダ４間に洩れ、その関係上、ドレン口１３がケーシング１に形成され、シリンダ２とスライダ４間に連通し、逆止め弁がドレン口１３に設けられている。ただし、その位置および方向は同公報のものと同様ではない。ケーシング１の下側部分ではなく、上側部分において、ドレン口１３が上向きに形成されている。逆止め弁はボール１４とＯリング１５からなり、スプリング１６がボール１４に作用し、ボール１４は下向きに弾性付勢されており、Ｏリング１５に対向する。そして、ドレンホース１７がドレン口１３に接続されている。
【００１４】
さらに、このスプレーガンでは、空気口１８がケーシング１に形成され、シリンダ２とスライダ４間に連通し、逆止め弁が空気口１８に設けられている。その位置および方向については、ドレン口１３と同様、ケーシング１の上側部分において、空気口１８が上向きに形成されている。逆止め弁はボール１９とＯリング２０からなり、スプリング２１がボール１９に作用し、ボール１９は上向きに弾性支持されており、Ｏリング２０に対向する。
【００１５】
したがって、このスプレーガンにおいて、スライダ４およびピストン２が往復移動すると、スライダ４によってポンプ作用が生じ、まず、ピストンポンプの吸入行程のとき、スライダ４が図１の右方向に直線移動し、シリンダ２から離れ、これによって両者間が拡大され、その内部圧力が減少する。したがって、ドレン口１３のボール１４が外部圧力を受け、Ｏリング１５に向かって押し下げられ、それに押し付けられ、逆止め弁が閉じられる。これと同時に、空気口１８のボール１９が外部圧力を受け、Ｏリング２０から押し下げられ、逆止め弁が開かれ、空気が空気口１８、ボール１９およびＯリング２０を通り、シリンダ２とスライダ４間に吸入される。
【００１６】
そして、その後、ピストンポンプの吐出行程のとき、スライダ４が図１の左方向に直線移動し、シリンダ２に接近し、これによって両者間が縮小され、その空気および洩れ液が圧縮され、内部圧力が増加する。したがって、空気口１８のボール１９がＯリング２０に向かって押し上げられ、それに押し付けられ、逆止め弁が閉じられる。これと同時に、ドレン口１３のボール１４が０リング１５から押し上げられ、逆止め弁が開かれ、洩れ液がドレン口１３、ボール１４およびＯリング１５を通り、押し出され、ドレンホース１７に排出される。
【００１７】
したがって、このスプレーガンの場合、空気の吸入後、スライダ４によってそれが圧縮されるものである。これによってポンプ効率が高められ、洩れ液を効果的に排出することができる。したがって、洩れ液がスライダ４とケーシング１間を通り、駆動モータ６に達し、洩れ液によって駆動モータ６が損傷するおそれはない。
【００１８】
さらに、洗浄液を噴射し、繊維製品を洗浄するとき、繊維製品の上方において、スプレーガンを手で持ち、操作する必要があるが、このスプレーガンの場合、実用新案登録第２５８６４０６号公報のもののように、ケーシング１の下側部分において、ドレン口を下向きに形成する必要はない。ポンプ効率が高く、ケーシング１の上側部分において、ドレン口１３を上向きに形成しても、洩れ液を的確に排出することができる。したがって、前述したように、ケーシング１の上側部分において、ドレン口１３が上向きに形成され、ドレンホース１７がそれに接続されているものである。供給口７および供給ホース８も同様である。ケーシング１の上側部分において、供給口７が上向きに形成され、供給ホース８がそれに接続されている。したがって、スプレーガンを操作するとき、供給ホース８およびドレンホース１７が繊維製品に接触することはない。
【００１９】
さらに、このスプレーガンのケーシング１をスプリング２２に吊り、支持することもできる。この場合、スプレーガンの重量に関係なく、繊維製品の上方において、スプレーガンを手で持ち、容易に操作することができ、好ましい。ケーシング１の上方において、供給ホース８およびドレンホース１７をスプリング２３，２４で吊り、支持することもできる。
【００２０】
この他、このスプレーガンでは、シリンダ２内において、環状外周みぞ２５がピストン３に形成されている。さらに、ドレン流路がシリンダ２に形成され、環状外周みぞ２５に開口し、シリンダ２の洗浄液供給位置において、ドレン流路がシリンダ２内に連通する。この実施例では、半径方向孔２６、環状空隙２７および半径方向孔２８によってドレン流路が構成され、半径方向孔２６はシリンダ２に形成されており、環状外周みぞ２５に開口する。さらに、洗浄液が供給口７を通り、シリンダ２内に供給されることは前述したとおりであるが、その洗浄液供給位置において、半径方向孔２８がシリンダ２に形成され、シリンダ２内に連通している。さらに、環状空隙２７がシリンダ２とケーシング１間に形成され、環状空隙２７によって半径方向孔２６，２８が接続されており、環状空隙２７の両端において、Ｏリング２９がシリンダ２とケーシング１間に設けられ、Ｏリング２９によってシリンダ２とケーシング１がシールされている。
【００２１】
さらに、この実施例では、供給口７は環状空隙２７に開口する。したがって、環状空隙２７によって供給口７と半径方向孔２８が接続され、それがシリンダ２内に連通しているものである。
【００２２】
したがって、このスプレーガンでは、洗浄液が供給口７、環状空隙２７および半径方向孔２８を通り、シリンダ２内に供給され、ピストンポンプの吸入行程のとき、それがシリンダ２内に吸入される。これと同時に、ピストンポンプの吸入行程のとき、洩れ液が環状外周みぞ２５、半径方向孔２６、環状空隙２７および半径方向孔２８を通り、シリンダ２内に吸入され、循環する。その後、ピストンポンプの吐出行程のとき、ピストン３によって洗浄液が噴射され、シリンダ２内に吸入された洩れ液についても、ピストン３によってそれが噴射され、再使用される。
【００２３】
さらに、洗浄液がシリンダ２とスライダ４間に洩れても、それがドレンホース１７に排出されることは前述したとおりである。さらに、洩れ液がドレンホース１７を通り、洗浄液供給タンクに回収され、再使用される。その後、それが供給ホース８および供給口７を通り、シリンダ２内に供給される。これによって洗浄液を節減し、資源および環境問題に貢献することができる。
【００２４】
なお、このスプレーガンにおいて、環状外周みぞ２５をシリンダ２に形成することは容易である。そのドレン流路についても、半径方向孔２６，２８をシリンダ２に形成すればよく、その加工も容易である。
【００２５】
【発明の効果】
以上説明したように、この発明によれば、空気の吸入後、スライダによってそれが圧縮され、これによってポンプ効率が高められ、洩れ液を効果的に排出することができる。したがって、洩れ液がスライダとケーシング間を通り、駆動モータに達し、洩れ液によって駆動モータが損傷するおそれはなく、所期の目的を達成することができるものである。
【図面の簡単な説明】
【図１】この発明の実施例を示す断面図である。
【符号の説明】
１  ケーシング
２  シリンダ
３  ピストン
４  スライダ
６  駆動モータ
１３  ドレン口
１４  ボール
１５  Ｏリング
１８  空気口
１９  ボール
２０  Ｏリング
【図１】
2004243163.tif 000003